(57)【要約】【課題】一般的な譜面台に対して汎用的に着脱自在に取り付けることができると共に、持ち替え用の管楽器や、筆記具などの小物類を載置するスペースを有する譜面台用の補助棚を提供する。【解決手段】補助棚１は、譜面台の楽譜支持部に当接させる背面部１１、背面部と隣接する天面部１２、天面部とは反対側で背面部と隣接する底面部１３、及び、背面部とは反対側で底面部と隣接する前面部１４を備える棚板本体１０と、天面部で開口し、背面部と天面部との境界となる辺Ｅに略平行に延び両端が開端となった凹部２０と、底面部に開口し、深さ方向Ｄが背面部を延長した仮想面Ｓに対して直交すると共に、辺Ｅに略平行に延び両端が開端となった溝部３１とを具備する。【選択図】図１
0003158928.tif 000002
【実用新案登録請求の範囲】
【請求項１】
楽譜の背面を受ける楽譜支持部、及び、楽譜の底部を載置する楽譜載置部を備える譜面台に取り付けられる譜面台用の補助棚であって、
前記楽譜支持部に当接させる背面部、該背面部と隣接する天面部、該天面部とは反対側で前記背面部と隣接する底面部、及び、前記背面部とは反対側で前記底面部と隣接する前面部を備える棚板本体と、
前記天面部で開口し、前記背面部と前記天面部との境界となる辺に略平行に延び両端が開端となった凹部と、
前記背面部または前記底面部に開口し、深さ方向が前記背面部または前記背面部を延長した仮想面に対して直交すると共に、前記辺に略平行に延び両端が開端となった溝部と
を具備することを特徴とする譜面台用の補助棚。
【請求項２】
前記棚板本体は、前記前面部に開口する孔部を少なくとも一つ備えており、
前記孔部に挿脱可能な挿し込み片を備えた連結部を介して前記棚板本体に取り付けられる第二棚板を更に具備する
ことを特徴とする請求項１に記載の譜面台用の補助棚。
【請求項３】
前記連結部は、前記挿し込み片の一端から直角に延びる連結軸部、及び、該連結軸部の他端から前記挿し込み片とは相反する方向に直角に延び前記孔部に挿脱可能な第二挿し込み片を備えており、
前記第二棚板は、前記棚板本体と同一の構成である
ことを特徴とする請求項２に記載の譜面台用の補助棚。
【考案の詳細な説明】
【技術分野】
【０００１】
本考案は、譜面台に着脱自在に取り付けられる補助棚に関するものである。
【背景技術】
【０００２】
尺八、クラリネット、篠笛、リコーダー等の管楽器では、一人の奏者が管の長さの異なる同種楽器、すなわち音域の異なる同種楽器に持ち替えて演奏することがある。また、フルート奏者がピッコロに持ち替えることも、しばしば行われる。このような場合、持ち替える前または後の楽器は、奏者の膝の上や椅子の上に置いておくことが多い。しかしながら、楽器が転がり落ちるおそれがあることに加え、楽器が転がらないよう膝を水平に保つ姿勢や、椅子の座面に楽器のためスペースを残して座る姿勢は、演奏のためには不自由であるという問題があった。
【０００３】
また、譜面台の楽譜を載置する棚に、楽譜に書き込みを行うための筆記具や、楽器から唾液を拭い取るための布などの小物類を載置しておく奏者も多い。しかしながら、一般的な譜面台において、棚には楽譜が載置できる程度の幅しかないため、楽譜をめくる際に、筆記具や小物類が邪魔になったり落下したりすることがあり、不便であった。
【０００４】
加えて、主に尺八奏者が多用する折り畳み式の譜面台には、図８のように、細長い平板状の骨組み材１１１をＸ字状に交差させたものを複数連結し、パンタグラフ式に拡縮させて楽譜の背面を受ける楽譜支持部１１０を形成すると共に、骨組み材１１１の奏者側となる端部がほぼ直角に折り曲げられて折曲部１２１が形成されているものがある。このような構成の譜面台で１００は、楽譜支持部１１０に背面を当接させた楽譜の底部は、複数の折曲部１２１に架け渡されるように載置されるため、そもそも筆記具や小物類を載置できるような棚を有していないという問題があった。
【考案の概要】
【考案が解決しようとする課題】
【０００５】
そこで、本考案は上記の実情に鑑み、一般的な譜面台に対して汎用的に着脱自在に取り付けることができると共に、持ち替え用の管楽器や、筆記具などの小物類を載置するスペースを有する譜面台用の補助棚、の提供を課題とするものである。
【課題を解決するための手段】
【０００６】
上記課題を解決するため、本考案にかかる譜面台用の補助棚は、「楽譜の背面を受ける楽譜支持部、及び、楽譜の底部を載置する楽譜載置部を備える譜面台に取り付けられる譜面台用の補助棚であって、前記楽譜支持部に当接させる背面部、該背面部と隣接する天面部、該天面部とは反対側で前記背面部と隣接する底面部、及び、前記背面部とは反対側で前記底面部と隣接する前面部を備える棚板本体と、前記天面部で開口し、前記背面部と前記天面部との境界となる辺に略平行に延び両端が開端となった凹部と、前記背面部または前記底面部に開口し、深さ方向が前記背面部または前記背面部を延長した仮想面に対して直交すると共に、前記辺に略平行に延び両端が開端となった溝部とを具備する」ものである。
【０００７】
一般的な譜面台であって、楽譜の背面を受ける楽譜支持部の下端に楽譜の底部を載置する楽譜載置部が棚状に設けられているタイプでは、楽譜支持部に対して棚状の楽譜載置部がほぼ直角に設けられている。一方、図８を用いて上述したタイプの譜面台１００では、楽譜載置部は折曲部１２１であるが、この折曲部１２１は、楽譜支持部１１０を構成する平板状骨組み材１１１の端部をほぼ直角に折り曲げて形成されている。従って、上記構成の本考案では、溝部は、その深さ方向が背面部または前記背面部を延長した仮想面に対して直交する方向となるように設けられるため、背面部を譜面台の楽譜支持部に当接させた状態で、溝部に楽譜載置部を差し込むことができる。
【０００８】
ここで、溝部は、背面部と天面部との境界となる辺に略平行に延びると共に、両端が開端となっているため、溝部の開端に楽譜載置部を差し入れ、棚板本体を譜面台に対して相対的に水平方向にスライドさせるようにして、溝部全体に楽譜載置部を差し込むことができる。また、溝部の両端が開端であることにより、背面部と天面部との境界となる辺の長さが、楽譜載置部の長さ、すなわち譜面台の左右方向の長さより短い場合であっても、問題なく溝部に楽譜載置部を差し込むことができる。
【０００９】
このように、溝部に楽譜載置部を差し込むことにより、棚板本体は楽譜載置部に係止されるため、棚板本体は背面部を楽譜支持部に当接させた状態で、譜面台に安定的に支持される。
【００１０】
そして、棚板本体には、天面部で開口する凹部が設けられているため、この凹部に持ち替え用の管楽器、筆記具や布などの小物類を載置することができる。このとき、凹部は両端が開端であるため、管楽器が棚板本体の長さより長い場合であっても、問題なく凹部に管楽器を載置することができる。
【００１１】
このように、管楽器や小物類は凹部に載置することができ、一方で、楽譜の底部は天面部に載置することができるため、楽譜をめくる際に管楽器や小物類が邪魔になることがない。また、管楽器や小物類は凹部に安定的に載置されるため、楽譜をめくる際に落下するおそれもない。なお、凹部は幅を広く形成することも可能であるため、その場合は、管楽器や小物類を凹部に載置すると共に、楽譜の底部を凹部に載置することも可能である。
【００１２】
本考案にかかる譜面台用の補助棚は、上記構成に加え、「前記棚板本体は、前記前面部に開口する孔部を少なくとも一つ備えており、前記孔部に挿脱可能な挿し込み片を備えた連結部を介して前記棚板本体に取り付けられる第二棚板を更に具備する」ものとすることもできる。
【００１３】
「孔部」の形状は特に限定されず、角形孔或いは円形孔とすることができる。また「孔部に挿脱可能な挿し込み片」は、断面の外形が孔部と同一形状で、大きさが孔部より僅かに小さい棒状の部材で構成することができる。連結部はかかる挿し込み片を備えるが、連結部と一体的に形成された挿し込み片を備える構成であっても、挿し込み片を分離可能に備える構成であっても良い。ここで、連結部が挿し込み片を分離可能に備える構成としては、挿し込み片を把持可能なピンチ部を連結部が備える構成の他、挿し込み片において孔部の外部に露呈している部分を挿脱可能な孔を連結部が備える構成や、挿し込み片において孔部の外部に露呈している部分に引掛けるリングやフック等の係合用部材を連結部が備える構成を、例示することができる。
【００１４】
「第二棚板」の形状は、物を載置することができる形状であれば特に限定されないが、例えば、平板状、上方に開口した断面コ字状、或いは、断面Ｌ字状とすることができる。また、第二棚板は「連結部を介して棚板本体に取り付けられる」ものであるが、連結部と第二棚板とは、一体化された構成であっても、分離可能に一体化される構成であっても良い。ここで、連結部と第二棚板とが分離可能に一体化される構成としては、第二棚板に孔が形成されており、その孔に挿脱可能な第二の挿し込み片を、上記の挿し込み片と連結部との関係と同様に、分離可能に連結部が備える構成を例示することができる。
【００１５】
上記構成の本考案によれば、挿し込み片を備えた連結部を介して、棚板本体に第二棚板を取り付けることができるため、管楽器や小物類を凹部に載置するスペースがより広いものとなる。例えば、棚板本体の凹部に筆記具などの小物類を載置し、第二棚板に持ち替え用の管楽器を載置することができる。或いは、持ち替え用の管楽器が二つある場合であっても、一方を棚板本体の凹部に載置し、他方を第二棚板に載置することができる。
【００１６】
加えて、棚板本体の前面部に設けられた孔部に対して、挿し込み片が挿脱可能であることにより、第二棚板は棚板本体に対して着脱自在となる。これにより、必要に応じて、第二棚板を取り付け、或いは、取り外すことを、容易に行うことができる。
【００１７】
本考案にかかる譜面台用の補助棚は、上記構成において、「前記連結部は、前記挿し込み片の一端から直角に延びる連結軸部、及び、該連結軸部の他端から前記挿し込み片とは相反する方向に直角に延び前記孔部に挿脱可能な第二挿し込み片を備えており、前記第二棚板は、前記棚板本体と同一の構成である」ものとすることができる。
【００１８】
上記構成の本考案では、同一構成の棚板本体を二つ備え、一方が第二棚板として使用される。すなわち、連結部は、連結軸部の両端から挿し込み片及び第二挿し込み片が相反する方向に延びている構成であり、挿し込み片及び第二挿し込み片は共に棚板本体の孔部に挿脱可能である。これにより、二つの棚板本体のうちの一方の棚板本体の孔部に挿し込み片を挿し込み、他方の棚板本体の孔部に第二挿し込み片を挿し込むことにより、二つの棚板本体を連結部によって段違いに連結することができる。
【００１９】
このように、棚板本体を第二棚板として使用することが可能となることにより、棚板本体と第二棚板とが別構成である場合とは異なり、製造工程が単一となるため、製造のための労力及び時間を削減してコストを低減することができる。また、棚板本体と第二棚板とが別構成である場合に比べて、部材の点数が少なく、在庫管理が容易となる。
【考案の効果】
【００２０】
以上のように、本考案によれば、一般的な譜面台に対して汎用的に着脱自在に取り付けることができると共に、持ち替え用の管楽器や、筆記具などの小物類を載置するスペースを有する譜面台用の補助棚、を提供することができる。
【図面の簡単な説明】
【００２１】
【図１】第一実施形態の譜面台用の補助棚の（ａ）斜視図、及び、（ｂ）断面図である。
【図２】図１の譜面台用の補助棚の使用状態を説明する（ａ）斜視図、及び、（ｂ）要部断面図である。
【図３】図１の譜面台用の補助棚の変形例を示す斜視図である。
【図４】第二実施形態の譜面台用の補助棚の断面図である。
【図５】第三実施形態の譜面台用の補助棚の（ａ）斜視図、及び、（ｂ）断面図である。
【図６】第四実施形態の譜面台用の補助棚の（ａ）斜視図、及び、（ｂ）断面図である。
【図７】第五実施形態の譜面台用の補助棚に関する（ａ）棚板本体及び挿し込み片の分解斜視図、（ｂ）ピンチ部の閉状態を示す側面図、（ｃ）ピンチ部の開状態を示す側面図、（ｄ）ピンチ部を（ｂ）及び（ｃ）と直交する方向から見た側面図、（ｅ）全体の断面図、及び、（ｆ）ピンチ部の変形例である。
【図８】楽譜載置部が折曲部である譜面台の斜視図である。
【考案を実施するための形態】
【００２２】
以下、本考案の実施形態の譜面台用の補助棚（以下、単に「補助棚」と称する）について、図１乃至図７に基づいて説明する。まず、第一実施形態の補助棚１の構成について、図１及び図２を用いて説明する。補助棚１は、楽譜の背面を受ける楽譜支持部１１０、及び、楽譜の底部を載置する楽譜載置部１２０を備える譜面台１００に取り付けられる譜面台用の補助棚であって、楽譜支持部１１０に当接させる背面部１１、背面部１１と隣接する天面部１２、天面部１２とは反対側で背面部１１と隣接する底面部１３、及び、背面部１１とは反対側で底面部１３と隣接する前面部１４を備える棚板本体１０と、天面部１２で開口し、背面部１１と天面部１２との境界となる辺Ｅに略平行に延び両端が開端となった凹部２０と、底面部１３に開口し、深さ方向Ｄが背面部１１を延長した仮想面Ｓに対して直交すると共に、辺Ｅに略平行に延び両端が開端となった溝部３１とを具備している。なお、図１（ｂ）及び図２（ｂ）は、辺Ｅに直交する切断線で切断した場合の断面図である。
【００２３】
より詳細には、凹部２０は天面部１２で開口する断面コ字状に形成されている。また、底面部１３は凹部２０の底面とほぼ平行に形成され、前面部１４は底面部１３とほぼ直角である。そして、棚板本体１０において辺Ｅに直交する方向の最大長さは辺Ｅの長さより短く、棚板本体１０の形状は平面視で略長方形（譜面台１００に取り付けられた状態の棚板本体１０を真上から見たときに、ほぼ長方形）である。そして、溝部３１は、凹部２０と交差しない位置に形成されている。このような形状の棚板本体１０は、木製の角材を部分的に切除することにより製造することができるが、これに限定されず、樹脂製や金属製であっても良い。
【００２４】
一般的な譜面台１００のほとんどにおいては、楽譜載置部１２０は楽譜支持部１１０に対してほぼ直角に設けられている。従って、上記構成の補助棚１は、図２に示すように、背面部１１を譜面台１００の楽譜支持部１１０に当接させた状態で、楽譜載置部１２０を溝部３１に挿し込むことにより、安定的に譜面台１００に取り付けることができる。ここで、辺Ｅに平行な方向に延びる溝部３１の両端部は開端であるため、譜面台１００の左右方向の長さが棚板本体１０の長手方向の長さ（辺Ｅに平行な方向の長さ）より長くても、楽譜載置部１２０を溝部３１に挿し込むことが可能である。なお、図２では、細長い平板状の骨組み材１１１をＸ字状に交差させたものを複数連結して楽譜支持部１１０を形成し、骨組み材１１１の端部がほぼ直角に折り曲げられた折曲部１２１によって楽譜載置部１２０が構成されている譜面台１００に、補助棚１を取り付ける場合を例示しているが、楽譜支持部に対して直交する方向に、棚状に突出した楽譜載置部を有する譜面台に対しても、同様に楽譜載置部を溝部３１に挿し込むことにより、補助棚１を安定的に取り付けることができる。
【００２５】
そして、凹部２０には、持ち替え用の管楽器、筆記具や布などの小物類を載置することができる。このとき、凹部２０は両端が開端であるため、管楽器の長さが棚板本体１０の長手方向の長さより大きい場合であっても、問題なく凹部２０に管楽器を載置することができる。一方、楽譜の底部は、天面部１２に載置させることができる。
【００２６】
なお、補助棚１では底面部１３が凹部２０の底面とほぼ平行であるため、補助棚１を譜面台から外し、テーブルや机の上に載置して使用することもできる。すなわち、底面部１３がテーブルや机の上面と当接するように載置すれば、凹部２０の底面はほぼ水平となるため、管楽器や小物類が凹部２０内に安定して保持された状態で、補助棚１をテーブルや机の上に載置することができる。
【００２７】
また、図３に示すように、より幅の広い凹部２１を備える補助棚１ｂとすれば、尺八など径の大きな管楽器を載置するのに適している。また、凹部２１の幅が広いことにより、持ち替え用の管楽器や小物類と共に、楽譜の底部を凹部２１内に載置しても、支障なく楽譜をめくることが可能である。
【００２８】
なお、凹部２０，２１の内表面に、フエルトやスポンジ等のクッション性に富んだシートを貼着すれば、管楽器に傷を付けるおそれなく載置することができると共に、載置された楽器の凹部２０，２１内での転がりを抑制することができ、好適である。また、凹部２０，２１の内表面だけではなく、補助棚１，１ｂの外表面の全てを布や紙で被覆しても良く、そのようにすることにより、補助棚１，１ｂが美しい外観を呈するものとなる。
【００２９】
次に、第二実施形態の補助棚２について、図４を用いて説明する。ここで、第一実施形態と同様の構成については、同一の符号を付し、詳細な説明は省略する。これは、後述の他の実施形態についても同様である。また、図４は、辺Ｅに直交する切断線で切断した断面図である。
【００３０】
補助棚２は、楽譜支持部１１０に当接させる背面部１１、背面部１１と隣接する天面部１２、天面部１２とは反対側で背面部１１と隣接する底面部１３、及び、背面部１１とは反対側で底面部１３と隣接する前面部１４を備える平面視長方形の棚板本体１０ｃと、天面部１２で開口し、棚板本体１０ｃの長手方向に沿って延び両端が開端となった凹部２０と、背面部１１に開口し深さ方向Ｄが背面部１１に対して直交すると共に、棚板本体１０ｃの長手方向に沿って方向に延び両端が開端となった溝部３２とを具備している。ここで、第二実施形態の補助棚２が第一実施形態の補助棚１と相違する点は、第一実施形態では溝部３１が底面部１３に開口していたのに対し、第二実施形態の溝部３２は背面部１１に開口している点である。これにより、第一実施形態では溝部３１の深さ方向Ｄは、背面部１１を延長した仮想面Ｓに直交していたのに対し、第二実施形態では溝部３２の深さ方向Ｄは背面部１１と直交している。
【００３１】
詳細には、背面部１１は第一実施形態の背面部１１より面積が大きく、前面部１４側に張り出している。このように、溝部３２を背面部１１に開口させることにより、譜面台支持部１１０から譜面台載置部１２０が突出する長さが短い場合であっても、譜面台載置部１２０を確実に溝部３２内に挿し込むことが可能となる。
【００３２】
次に、第三実施形態の補助棚３について、図５を用いて説明する。第一実施形態の構成に加え、補助棚３における棚板本体１０は、前面部１４に開口する孔部４０を少なくとも一つ備えており、孔部４０に挿脱可能な挿し込み片５１を備えた連結部５０を介して棚板本体１０に取り付けられる第二棚板５９を更に具備している。
【００３３】
より詳細には、孔部４０は角形孔であり、本実施形態では二つが設けられている。また、挿し込み片５１は、孔部４０に挿脱可能な四角柱状であり、孔部４０の数と等しく二つが備えられている。そして、挿し込み片５１の大きさは、孔部４０に挿入された状態で孔部４０の内表面との摩擦により容易には抜け落ちない程度に設定されている。更に、挿し込み片５１における挿し込み方向の長さは、孔部４０の深さより大きく、孔部４０に挿入した状態で挿し込み片５１の一端側が孔部４０の外部に露呈するよう設定されている。
【００３４】
連結部５０は、孔部４０の数と等しく二つが備えられ、それぞれ挿し込み片５１と直交する方向に延び、挿し込み片５１と一体に形成され又は挿し込み片５１と一体化された、細長い角棒状の軸部５３を備えている。そして、二つの軸部５３それぞれの他端側に一つの第二棚板５９が固着されており、第二棚板５９が軸部５３に固着されている方向は、挿し込み片５１が軸部５３から突出している方向とは反対側である。このような構成により、第二棚板５９は棚板本体１０によって、棚板本体１０と段違いに、且つ、上下方向で棚板本体１０と重ならない位置に支持される。
【００３５】
上記構成の補助棚３では、棚板本体１０の凹部２０に加えて、第二棚板５９にも持ち替え用の管楽器や小物類を載置することが可能となる。また、挿し込み片５１は孔部４０に挿脱可能であるため、第二棚板５９は棚板本体１０に対して着脱自在であり、必要に応じて第二棚板５９を取り付け、または、取り外すことができる。
【００３６】
次に、第四実施形態の補助棚４について、図６を用いて説明する。第四実施形態では、連結部５５は、孔部４０に挿脱可能な四角柱状の挿し込み片５６、挿し込み片５６の一端から直角に延びる連結軸部５８、及び、連結軸部５８の他端から挿し込み片５６とは相反する方向に直角に延びる第二挿し込み片５７を備えており、第二挿し込み片５７は挿し込み片５６と形状及び大きさが同一である。より詳細には、連結部５５は棚板本体１０における孔部４０の数と等しく二つが備えられ、それぞれにおいて連結軸部５８は細長い角棒状であり、挿し込み片５６及び第二挿し込み片５７と連結軸部５８とは一体に形成され又は一体化されている。
【００３７】
そして、第二挿し込み片５７が挿し込み片５６と同一の大きさ及び形状であることにより、第二棚板を棚板本体１０と同一の構成とすることが可能となる。すなわち、一つの棚板本体１０の孔部４０に挿し込み片５６を挿入し、別の棚板本体１０の孔部４０に第二挿し込み片５７を挿入すれば、図６（ｂ）に示すように、二つの棚板本体１０を連結部５５を介して連結し、二つ目の棚板本体１０を第二棚板として用いることができる。また、挿し込み片５６及び第二挿し込み片５７はそれぞれ孔部４０に挿脱可能であるため、棚板本体１０を単独で譜面台１００に取り付けることも、連結された二つの棚板本体１０を譜面台１００に取り付けることもできる。加えて、二つの棚板本体１０を連結する作業、及び分解する作業は、ボルト等の部品やドライバー等の工具を要することなく、極めて容易に行うことができる。
【００３８】
次に、第五実施形態の補助棚５について、図７を用いて説明する。第五実施形態では、連結部６０は、軸６５周りに相反する方向へ回動することにより開閉する一対のアーム部６６，６７、及び、一対のアーム部６６，６７を閉方向に付勢する付勢部材６３を有し、開状態で挿し込み片６１を把持可能なピンチ部６４と、ピンチ部６４における軸６５側の端部に固着された第二挿し込み片６２とを備えており、第二挿し込み片６２は挿し込み片６１と形状及び大きさが同一である。
【００３９】
すなわち、第三実施形態及び第四実施形態では、挿し込み片５１，５６はそれぞれ連結部５０，５５の他の構成と一体に形成され又は一体化されていたが、第五実施形態の連結部６０は挿し込み片６１を分離可能に備えている。そして、連結部６０は、挿し込み片６１、ピンチ部６４、及び第二挿し込み片６２とを備えている。具体的には、ピンチ部６４は、側面視でＳ字状に湾曲した第一アーム部６６と、一端側で第一アーム部６６と軸６５によって組み付けられ、第一アーム部６６と線対称の逆Ｓ字状に湾曲していると共に、軸６５側とは反対側の端部近傍で、第一アーム部６６に設けられた開口部６８に挿通させられることによって第一アーム部６６と交差している第二アーム部６７とで構成されている。また、第一アーム部６６及び第二アーム部６７のそれぞれの先端には、把持爪６９が形成されている。
【００４０】
更に、一対のアーム部６６，６７が交差する位置と軸６５との間で、第一アーム部６６と第二アーム部６７が最も離れている位置において、第一アーム部６６と第二アーム部６７との間に付勢部材６３が配されている。なお、付勢部材６３としては、図７に示すように、一対のアーム部６６，６７の間で圧縮されるコイルバネを使用できる他、一対のアーム部６６，６７の間で折り曲げられた板バネを使用することができる。
【００４１】
このような構成により、付勢部材６３の付勢に抗して第一アーム部６６と第二アーム部６７とを近付けるように両外側から押圧すると（図７（ｃ）における図示矢印参照）、第一アーム部６６の把持爪６９と第二アーム部６７の把持爪６９が離隔するため、その間に挿し込み片６１を把持させることができる。このとき、一対のアーム部６６，６７を閉方向に付勢する付勢部材６３によって、挿し込み片６１は一対の把持爪６９間にしっかりと把持される。
【００４２】
そして、ピンチ部６４に固着された第二挿し込み片６２が挿し込み片６１と同一の大きさ及び形状であることにより、第二棚板を棚板本体１０と同一の構成とすることが可能となる。すなわち、一つの棚板本体１０の孔部４０に挿し込み片６１を挿入し、挿し込み片６１において孔部４０より外側に露呈した部分をピンチ部６４に把持させる一方で、ピンチ部６４に固着された第二挿し込み片６２を、別の棚板本体１０の孔部４０に挿入すれば、図７（ｅ）に示すように、二つの棚板本体１０を連結部６０を介して連結し、二つ目の棚板本体１０を第二棚板として用いることができる。
【００４３】
そして、挿し込み片６１及び第二挿し込み片６２はそれぞれ孔部４０に挿脱可能であるため、棚板本体１０を単独で譜面台１００に取り付けることも、連結された二つの棚板本体１０を譜面台１００に取り付けることもできる。加えて、二つの棚板本体１０を連結する作業、及び分解する作業は、ボルト等の部品やドライバー等の工具を要することなく、極めて容易に行うことができる。また、連結部６０において、挿し込み片６１はピンチ部６４と分離可能であるため、分離させることにより、補助棚５を収納する際または持ち運ぶ際に、連結部６０が嵩張らない利点を有する。
【００４４】
以上のように、第一実施形態乃至第五実施形態によれば、一般的な譜面台１００に対して汎用的に着脱自在に取り付けることができると共に、持ち替え用の管楽器や筆記具などの小物類を載置するスペースを有する補助棚１，１ｂ，２，３，４，５を、提供することができる。
【００４５】
また、第三実施形態乃至第五実施形態では第二棚板を備えるため、管楽器や小物類を載置するスペースを増加させることができる。更に、第二棚板は棚板本体１０に対して着脱自在であるため、管楽器や小物類を載置するスペースの大きさを調整することができる。
【００４６】
加えて、第四実施形態及び第五実施形態では、第二棚板が棚板本体１０と同一構成であるため、部材の点数を低減でき、製造が容易であると共に在庫管理がし易いものとなる。
【００４７】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４８】
例えば、天面部１２において、背面部１１と天面部１２との境界となる辺Ｅに略平行に、且つ、凹部２０より辺Ｅ側に、幅の細い溝または突条を設ければ、天面部１２に載置した楽譜の滑り止めとなり、好適である。
【００４９】
また、第三実施形態乃至第五実施形態では、孔部４０が角形孔であり、挿し込み片５１，５６，６１及び第二挿し込み片５７，６２が四角柱状である場合を例示したが、これに限定されず、孔部を円形孔とし、挿し込み片及び第二挿し込み片を円柱状とすることもできる。
【００５０】
加えて、第五実施形態では、ピンチ部６４の端部が第二挿し込み片６２に固着されている場合を例示したが、図７（ｆ）に示すように、ピンチ部６４ｂにおける軸６５側の端部が、軸Ｐによって第二挿し込み片６２に対して回動可能に組み付けられている構成とすることができる。かかる構成により、軸Ｐによる組み付け部分の摩擦力に抗して、ピンチ部６４ｂと第二挿し込み片６２を相対的に回動させることにより、譜面台１００に取り付けられている棚板本体１０に対する、第二棚板としての棚板本体１０の取り付け角度を変化させることができる。なお、第二棚板の取り付け角度を変化させた状態は、軸Ｐによる組み付け部分に作用する摩擦力によって保持することが可能である。
【符号の説明】
【００５１】
１，１ｂ、２，３，４，５  補助棚（譜面台用の補助棚）
１０  棚板本体
１１  背面部
１２  天面部
１３  底面部
１４  前面部
２０，２１  凹部
３１，２１  溝部
４０  孔部
５０，５５，６０  連結部
５１，５６，６１  挿し込み片
５９  第二棚板
５７，６２  第二挿し込み片
Ｅ  背面部と天面部との境界となる辺
Ｄ  （溝部の）深さ方向
Ｓ  （背面部を延長した）仮想面
１００  譜面台
１１０  楽譜支持部
１２０  楽譜載置部
【図１】
0003158928.tif 000003
【図２】
0003158928.tif 000004
【図３】
0003158928.tif 000005
【図４】
0003158928.tif 000006
【図５】
0003158928.tif 000007
【図６】
0003158928.tif 000008
【図７】
0003158928.tif 000009
【図８】
0003158928.tif 000010